(57)【要約】  前端（１５）と、前端（１５）に隣接する前方領域（２）と、後端（１４）と、後端（１４）に隣接する後方領域（３）と、前端（１５）と後端（１４）とを接続する中心軸（１１）と、壁部分（４）と、中央空洞（６）とを含む管状構造体を含む弾頭（１）であって、それにより、外壁部分（４）は、前方領域（２）内で先細になり、後方領域（３）に断片（７；９）を含み、後方領域（３）の管状構造体は、中心軸に対して略円筒形部分（１２）と略円錐形部分（１３）とを含む弾頭（１）。
2019502092.tif 000002
【特許請求の範囲】
【請求項１】
弾頭（１）であって、
前端（１５）と、前端（１５）に隣接する前方領域（２）と、
後端（１４）と、後端（１４）に隣接する後方領域（３）と、
前端（１５）と後端（１４）とを接続する中心軸（１１）と、
壁部分（４）と、
中央空洞（６）と
を含む管状構造体を含み、それにより、
外壁部分（４）は、前方領域（２）内で先細になり、後方領域（３）に断片（７；９）を含み、
後方領域（３）の管状構造体は、中心軸（１１）に対して略円筒形部分（１２）と略円錐形部分（１３）とを含む
ことを特徴とする弾頭（１）。
【請求項２】
略円筒形部分（１２）が、中心軸（１１）に対して略円錐形部分（１３）と前方領域（２）との間の後方領域（３）に配置されることを特徴とする請求項１に記載の弾頭。
【請求項３】
略円錐形部分（１３）が、中心軸（１１）に対して略円筒形部分（１２）と前方領域（２）との間の後方領域（３）に配置されることを特徴とする請求項１に記載の弾頭。
【請求項４】
弾頭（１）が、反射器（１５）を含むことを特徴とする請求項１から３のいずれか一項に記載の弾頭。
【請求項５】
略円錐形部分（１３）が、中心軸（１１）に平行に測定した場合に略円筒形部分（１２）よりも長いことを特徴とする請求項１から４のいずれか一項に記載の弾頭。
【請求項６】
略円錐形部分（１３）が、中心軸（１１）に平行に測定した場合に略円筒形部分（１２）よりも短いことを特徴とする請求項１から４のいずれか一項に記載の弾頭。
【請求項７】
略円錐形部分（１３）および略円筒形部分（１２）が、中心軸（１１）に平行に測定した場合に等しい長さであることを特徴とする請求項１から４のいずれか一項に記載の弾頭。
【請求項８】
中空の略円錐形部分（１３）が、少なくとも４度、好ましくは６度のφ２の全円錐角を有することを特徴とする請求項１から７のいずれか一項に記載の弾頭。
【請求項９】
中空の略円錐形部分（１３）が、最大３０度、好ましくは２０度のφ２の全円錐角を有することを特徴とする請求項１から８のいずれか一項に記載の弾頭。
【請求項１０】
円筒形部分（１２）と円錐形部分（１３）との間で管状構造体の周りに延びる不連続部を含むことを特徴とする請求項１から９のいずれか一項に記載の弾頭。
【請求項１１】
円筒形部分（１２）と円錐形部分（１３）との間に屈曲部を含むことを特徴とする請求項１から１０のいずれか一項に記載の弾頭。
【請求項１２】
前方領域（３）が、断片を含まないことを特徴とする請求項１から１１のいずれか一項に記載の弾頭。
【請求項１３】
断片（７；９）が、少なくとも２つの異なる型の断片を含むことを特徴とする請求項１から１２のいずれか一項に記載の弾頭。
【請求項１４】
一方の型の断片が本質的に球形を有し、他方の型の断片が非球形、好ましくは直方体、平行六面体または四面体の形状を有することを特徴とする請求項１３に記載の弾頭。
【請求項１５】
少なくとも２つの異なる型の断片が、異なる材料を含むことを特徴とする請求項１３または１４に記載の弾頭。
【請求項１６】
少なくとも２つの異なる型の断片が、壁部分（４）の単一の平面内に配置されることを特徴とする請求項１３から１５のいずれか一項に記載の弾頭。
【請求項１７】
少なくとも２つの異なる型の断片が、互いに重なって配置されることを特徴とする請求項１３から１５のいずれか一項に記載の弾頭。
【請求項１８】
断片が、金属、金属合金または金属炭化物、好ましくは鋼、タングステン、炭化タングステンまたはアルミニウムを含むことを特徴とする請求項１から１７のいずれか一項に記載の弾頭。
【発明の詳細な説明】
【技術分野】
【０００１】
本発明は、請求項１のプリアンブルに記載の弾頭に関する。
【背景技術】
【０００２】
英国特許第１１７１３６２号明細書より、金属ボールの形態の予備成形された断片を含む中空充填弾頭（ｈｏｌｌｏｗ  ｃｈａｒｇｅ  ｗａｒｈｅａｄ）が知られている。しかしながら、この公知の弾頭では、標的領域に向かって断片が分散する複数の方向を選択することができず、特に、いわゆる「後方飛散」「前方飛散」それぞれに関する教示は見出されない。この公知の弾頭の他の欠点は、金属ボールを含むその破砕ケーシングが円筒形のハウジング内に収容されている、すなわち弾頭の外面を形成せず、それによって断片の効果を減少させるという事実にある。
【先行技術文献】
【特許文献】
【０００３】
【特許文献１】英国特許第１１７１３６２号明細書
【発明の概要】
【発明が解決しようとする課題】
【０００４】
本発明の目的は、弾頭の炸薬の爆発によって、様々な方向に断片を分散することを可能にする弾頭を提供することである。
【０００５】
本発明は、請求項１の特徴を備えた弾頭に関する問題点を解決する。
【０００６】
本発明による弾頭の利点は以下の通りである。
・爆発によって、様々な方向に断片を分散する（後方飛散／前方飛散）。
・レンズ効果を達成し、特定のゾーン内の断片の量を増やす（詳細は後述）。
【課題を解決するための手段】
【０００７】
本発明のさらに有利な実施形態について、以下のように評することができる。
【０００８】
特定の実施形態では、略円筒形部分は、中心軸に対して、略円錐形部分と前方領域との間の後方領域に配置される。円錐形部分と円筒形部分とのこの配置は、弾頭の炸薬の爆発による断片の後方飛散を可能にする。
【０００９】
別の実施形態では、略円錐形部分は、中心軸に対して、略円筒形部分と前方領域との間の後方領域に配置される。円錐形部分と円筒形部分とのこの配置は、弾頭の炸薬の爆発による断片の前方飛散を可能にする。
【００１０】
さらなる実施形態では、弾頭は反射器を含む。この実施形態は、円錐形部分の外壁の方向への衝撃波の反射を可能にして、弾頭の円錐形部分の外壁に設けられた断片の方向の影響をもたらす。
【００１１】
さらなる実施形態では、略円錐形部分は、中心軸に平行に測定した場合に略円筒形部分よりも長い。
【００１２】
別の実施形態では、略円錐形部分は、中心軸に平行に測定した場合に略円筒形部分よりも短い。
【００１３】
さらに別の実施形態では、略円錐形部分および略円筒形部分は、中心軸に平行に測定した場合に等しい長さである。
【００１４】
さらなる実施形態では、中空の略円錐形部分は、少なくとも４度、好ましくは６度のφ２の全円錐角を有する。
【００１５】
さらなる実施形態では、中空の略円錐形部分は、最大３０度、好ましくは２０度のφ２の全円錐角を有する。
【００１６】
さらなる実施形態では、弾頭は、円筒形部分と円錐形部分との間で管状構造体の周りに延びる不連続部を含む。
【００１７】
さらなる実施形態では、弾頭は、円筒形部分と円錐形部分との間に屈曲部を含む。
【００１８】
さらなる実施形態では、弾頭の前方領域は、断片を含まない。
【００１９】
さらなる実施形態では、断片は、少なくとも２つの異なる型の断片を含む。
【００２０】
さらなる実施形態では、一方の型の断片は本質的に球形を有し、他方の型の断片は非球形、好ましくは直方体、平行六面体または四面体の形状を有する。
【００２１】
さらなる実施形態では、少なくとも２つの異なる型の断片は、異なる材料を含む。
【００２２】
さらなる実施形態では、少なくとも２つの異なる型の断片は、壁部分の単一の平面内に配置される。
【００２３】
別の実施形態では、少なくとも２つの異なる型の断片は、互いに重なって配置される。
【００２４】
さらなる実施形態では、断片は、金属、金属合金または金属炭化物、好ましくは鋼、タングステン、炭化タングステンまたはアルミニウムを含む。
【００２５】
定義：
「断片」：用語「断片」は、本明細書では、様々な硬質または硬化性材料から作られたあらゆる予備成形された断片または細片を意味する。
【００２６】
「反射器」：用語「反射器」は、本明細書では、例えば、炸薬の爆轟によってもたらされた衝撃波の方向を変化させる装置を包含する。
【００２７】
本発明の特定の実施形態が、例として、添付の図面を参照して以下に説明される。
【図面の簡単な説明】
【００２８】
【図１】本発明による弾頭の一実施形態の斜視図を示す。
【図２】爆轟時に変化するその変形構成で、本発明による弾頭の一実施形態の壁部分を概略的に示す。
【発明を実施するための形態】
【００２９】
図１は、前端１５と、後端１４と、前端１５と後端１４とを接続する中心軸１１とを有する管状構造体を有する弾頭１を示す。さらに、管状構造体は、後端１４に隣接する後方領域３と、前端１１に隣接する前方領域２と、壁部分４とを含む。前方領域２では、壁部分は、前端１５に向かって先細になり、断片を含まない。後方領域３では、壁部分４には、非球形を有する第１の断片７と、球形を有する第２の断片９とが設けられている。後方領域３の管状構造体は、中空の略円筒形部分１２と中空の略円錐形部分１３とからなる。円錐形部分は、後端１４と円筒形部分１２との間に配置され、後端１４に向かって先細になる。
【００３０】
図２は、後方領域３の管状構造体と、達成された爆轟の時間に応じたその変形とを概略的に示す。
【００３１】
時間ｔ（０）の概略図は、管状構造体の後方領域３の壁部分４の開始構成を示す。後方領域３は、略円筒形部分１２と略円錐形部分１３とを含む。管状構造体には、円筒形部分１２と円錐形部分１３との間の接合部に屈曲部が設けられている。後方領域３の壁部分４には、直方体形状を有する第１の断片９と、球形を有する第２の断片７とが設けられている。
【００３２】
時間ｔ（１）の概略図は、爆轟波が管状構造体の円錐形部分に当たる瞬間の動態を示す。爆轟波が当たるのに続いて、球状の断片９が壁部分４から放出される［時間ｔ（２）］。爆轟波に起因する第２の断片９の放出［時間ｔ（３）］に続いて、後方領域３の円錐形部分１３の壁が後方領域３の円筒形部分１２と分割される。円錐形領域１３の分割に続いて、第１の（非球形の）断片７が、第２の断片９の軌道とは異なる軌道で壁部分４から放出される。円錐形領域１２と円筒形領域１３との相互の分割は、飛散角を向上させる。
【００３３】
略円錐形部分または略円筒形部分が、起爆装置／反射器の隣に配置されているかどうかに応じて、断片の後方飛散または前方飛散が達成され得る。
【００３４】
さらに、レンズ効果を達成して、特定の領域内の断片の量を増やすことができる。
【００３５】
本発明は、その特定の実施形態と関連して説明されているが、当業者には多くの代替、変更および変形が明らかであることは明白である。したがって、添付の請求項の範囲内に含まれるすべてのそのような代替、変更および変形を包含することが意図される。
【００３６】
明確にするために、別個の実施形態の関連で説明される本発明の特定の特徴は、単一の実施形態において組み合わせて提供されてもよいことが理解される。逆に、簡潔にするために、単一の実施形態の関連で説明される本発明の様々な特徴は、別個に、または任意の好適な部分的組合せ（ｓｕｂｃｏｍｂｉｎａｔｉｏｎ）で、または本発明の任意の他の説明された実施形態に適したものとして提供されてもよい。様々な実施形態の文脈で説明される特定の特徴は、実施形態がそれらの要素なしで動作不能でない限り、それらの実施形態の本質的な特徴と見なすべきではない。
【図１】
2019502092.tif 000003
【図２】
2019502092.tif 000004
【手続補正書】
【提出日】平成30年3月28日(2018.3.28)
【手続補正１】
【補正対象書類名】特許請求の範囲
【補正対象項目名】全文
【補正方法】変更
【補正の内容】
【特許請求の範囲】
【請求項１】
弾頭（１）であって、
前端（１５）と、前端（１５）に隣接する前方領域（２）と、
後端（１４）と、後端（１４）に隣接する後方領域（３）と、
前端（１５）と後端（１４）とを接続する中心軸（１１）と、
壁部分（４）と、
中央空洞（６）と
を含む管状構造体を含み、それにより、
外壁部分（４）は、前方領域（２）内で先細になり、後方領域（３）に断片（７；９）を含み、
ａ）後方領域（３）の管状構造体は、中心軸（１１）に対して略円筒形部分（１２）と略円錐形部分（１３）とを含み、
ｂ）壁部分（４）は、後方領域（１３）の略円錐形部分（１３）に断片（７；９）を含む、
ことを特徴とする弾頭（１）。
【請求項２】
略円筒形部分（１２）が、中心軸（１１）に対して略円錐形部分（１３）と前方領域（２）との間の後方領域（３）に配置されることを特徴とする請求項１に記載の弾頭。
【請求項３】
略円錐形部分（１３）が、中心軸（１１）に対して略円筒形部分（１２）と前方領域（２）との間の後方領域（３）に配置されることを特徴とする請求項１に記載の弾頭。
【請求項４】
弾頭（１）が、反射器（１５）を含むことを特徴とする請求項１から３のいずれか一項に記載の弾頭。
【請求項５】
略円錐形部分（１３）が、中心軸（１１）に平行に測定した場合に略円筒形部分（１２）よりも長いことを特徴とする請求項１から４のいずれか一項に記載の弾頭。
【請求項６】
略円錐形部分（１３）が、中心軸（１１）に平行に測定した場合に略円筒形部分（１２）よりも短いことを特徴とする請求項１から４のいずれか一項に記載の弾頭。
【請求項７】
略円錐形部分（１３）および略円筒形部分（１２）が、中心軸（１１）に平行に測定した場合に等しい長さであることを特徴とする請求項１から４のいずれか一項に記載の弾頭。
【請求項８】
中空の略円錐形部分（１３）が、少なくとも４度、好ましくは６度のφ２の全円錐角を有することを特徴とする請求項１から７のいずれか一項に記載の弾頭。
【請求項９】
中空の略円錐形部分（１３）が、最大３０度、好ましくは２０度のφ２の全円錐角を有することを特徴とする請求項１から８のいずれか一項に記載の弾頭。
【請求項１０】
円筒形部分（１２）と円錐形部分（１３）との間で管状構造体の周りに延びる不連続部を含むことを特徴とする請求項１から９のいずれか一項に記載の弾頭。
【請求項１１】
円筒形部分（１２）と円錐形部分（１３）との間に屈曲部を含むことを特徴とする請求項１から１０のいずれか一項に記載の弾頭。
【請求項１２】
前方領域（３）が、断片を含まないことを特徴とする請求項１から１１のいずれか一項に記載の弾頭。
【請求項１３】
断片（７；９）が、少なくとも２つの異なる型の断片を含むことを特徴とする請求項１から１２のいずれか一項に記載の弾頭。
【請求項１４】
一方の型の断片が本質的に球形を有し、他方の型の断片が非球形、好ましくは直方体、平行六面体または四面体の形状を有することを特徴とする請求項１３に記載の弾頭。
【請求項１５】
少なくとも２つの異なる型の断片が、異なる材料を含むことを特徴とする請求項１３または１４に記載の弾頭。
【請求項１６】
少なくとも２つの異なる型の断片が、壁部分（４）の単一の平面内に配置されることを特徴とする請求項１３から１５のいずれか一項に記載の弾頭。
【請求項１７】
少なくとも２つの異なる型の断片が、互いに重なって配置されることを特徴とする請求項１３から１５のいずれか一項に記載の弾頭。
【請求項１８】
断片が、金属、金属合金または金属炭化物、好ましくは鋼、タングステン、炭化タングステンまたはアルミニウムを含むことを特徴とする請求項１から１７のいずれか一項に記載の弾頭。
【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
弾頭（１）であって、
前端（１５）と、前端（１５）に隣接する前方領域（２）と、
後端（１４）と、後端（１４）に隣接する後方領域（３）と、
前端（１５）と後端（１４）とを接続する中心軸（１１）と、
壁部分（４）と、
中央空洞（６）と
を含む管状構造体を含み、それにより、
外壁部分（４）は、前方領域（２）内で先細になり、後方領域（３）に断片（７；９）を含み、
ａ）後方領域（３）の管状構造体は、中心軸（１１）に対して略円筒形部分（１２）と略円錐形部分（１３）とを含み、
ｂ）壁部分（４）は、後方領域（１３）の略円錐形部分（１３）に断片（７；９）を含み、それにより、
ｃ）前方領域（３）が、断片を含まない、
ことを特徴とする弾頭（１）。
【請求項２】
略円筒形部分（１２）が、中心軸（１１）に対して略円錐形部分（１３）と前方領域（２）との間の後方領域（３）に配置されることを特徴とする請求項１に記載の弾頭。
【請求項３】
略円錐形部分（１３）が、中心軸（１１）に対して略円筒形部分（１２）と前方領域（２）との間の後方領域（３）に配置されることを特徴とする請求項１に記載の弾頭。
【請求項４】
弾頭（１）が、反射器（１５）を含むことを特徴とする請求項１から３のいずれか一項に記載の弾頭。
【請求項５】
略円錐形部分（１３）が、中心軸（１１）に平行に測定した場合に略円筒形部分（１２）よりも長いことを特徴とする請求項１から４のいずれか一項に記載の弾頭。
【請求項６】
略円錐形部分（１３）が、中心軸（１１）に平行に測定した場合に略円筒形部分（１２）よりも短いことを特徴とする請求項１から４のいずれか一項に記載の弾頭。
【請求項７】
略円錐形部分（１３）および略円筒形部分（１２）が、中心軸（１１）に平行に測定した場合に等しい長さであることを特徴とする請求項１から４のいずれか一項に記載の弾頭。
【請求項８】
中空の略円錐形部分（１３）が、少なくとも４度、好ましくは６度のφ２の全円錐角を有することを特徴とする請求項１から７のいずれか一項に記載の弾頭。
【請求項９】
中空の略円錐形部分（１３）が、最大３０度、好ましくは２０度のφ２の全円錐角を有することを特徴とする請求項１から８のいずれか一項に記載の弾頭。
【請求項１０】
円筒形部分（１２）と円錐形部分（１３）との間で管状構造体の周りに延びる不連続部を含むことを特徴とする請求項１から９のいずれか一項に記載の弾頭。
【請求項１１】
円筒形部分（１２）と円錐形部分（１３）との間に屈曲部を含むことを特徴とする請求項１から１０のいずれか一項に記載の弾頭。
【請求項１２】
断片（７；９）が、少なくとも２つの異なる型の断片を含むことを特徴とする請求項１から１１のいずれか一項に記載の弾頭。
【請求項１３】
一方の型の断片が本質的に球形を有し、他方の型の断片が非球形、好ましくは直方体、平行六面体または四面体の形状を有することを特徴とする請求項１２に記載の弾頭。
【請求項１４】
少なくとも２つの異なる型の断片が、異なる材料を含むことを特徴とする請求項１２または１３に記載の弾頭。
【請求項１５】
少なくとも２つの異なる型の断片が、壁部分（４）の単一の平面内に配置されることを特徴とする請求項１２から１４のいずれか一項に記載の弾頭。
【請求項１６】
少なくとも２つの異なる型の断片が、互いに重なって配置されることを特徴とする請求項１２から１４のいずれか一項に記載の弾頭。
【請求項１７】
断片が、金属、金属合金または金属炭化物、好ましくは鋼、タングステン、炭化タングステンまたはアルミニウムを含むことを特徴とする請求項１から１６のいずれか一項に記載の弾頭。
【国際調査報告】
2019502092.tif 000005
2019502092.tif 000006